(57)【要約】【課題】  製造に金型等を必要とせずロール等に巻かれた二枚の帯状シートと溶着及び切断装置によって連続生産が可能なカード等保持具を提供する。【解決手段】  第一のカード保持部１となる基板部５の片側に第二のカード保持部２となる前記基板部５の横幅Ｗ１より狭い幅Ｗ２の折畳部６が連続させられた第一の帯状シート３の前記基板部５の上面に、該基板部５の横幅Ｗ１よりも若干狭めた幅Ｗ３を有する第二の帯状シート７が前記第一の帯状シート３の前記基板部５と前記折畳部６との境界線Ｋを起点として重ね合わされ、さらに前記第二の帯状シート７の上面に前記第一の帯状シート３の折畳部６が重ね合わされ、重ね合わされた前記第一の帯状シート３、前記第二の帯状シート７及び前記第一の帯状シート１の折畳部６を前記第一のカード保持部１及び前記第二のカード保持部２となる間隔部Ｓをあけて順次横方向に溶着及び切断１１して構成されたカード等保持具。【選択図】  図１
0003150883.tif 000002
【実用新案登録請求の範囲】
【請求項１】
第一のカード保持部となる基板部の片側に第二のカード保持部となる前記基板部の横幅より狭い横幅の折畳部が連続させられた第一の帯状シートの前記基板部の上面に、該基板部の横幅よりも若干狭めた横幅を有する第二の帯状シートが前記第一の帯状シートの基板部と前記折畳部との境界線を起点として重ね合わされ、さらに前記第二の帯状シートの上面に前記第一の帯状シートの折畳部が重ね合わされ、重ね合わされた前記第一の帯状シート、前記第二の帯状シート及び前記第一の帯状シートの折畳部を前記第一のカード保持部及び前記第二のカード保持部となる間隔をあけて順次横方向に溶着及び切断して構成したことを特徴とするカード等保持具。
【考案の詳細な説明】
【技術分野】
【０００１】
本考案は、帯状シートによる連続生産が可能であり、カード、受給者証・医療証等（以下単に「カード等」という。）の収納部を有するカード等保持具に関する。
【背景技術】
【０００２】
従来、一枚のシートを裁断することによって、矩形の背面部の両側にそれぞれ襠部を、又背面部の上下にそれぞれ蓋部と表面部を一体的に連接すると共に、その表面部に切込線によって舌状片部を設けた基体を形成し、該基体の背面部の内面上に、両側の襠部を折り重ねてから、その上に表面部を折り重ねて、更にその上に蓋部を折り重ねて折畳状態となし、蓋部の縁を表面部の舌状片部により挟み止め可能としてなるカード入れが提供されている（特許文献１）。
【先行技術文献】
【特許文献】
【０００３】
【特許文献１】実開平５−４３９１６号公報
【考案の概要】
【考案が解決しようとする課題】
【０００４】
前記従来のカード入れは、一枚のシートの裁断、襠部、蓋部、切込線による舌状片部の構成、さらに数回の折り重ね工程などに金型、その他の装置を必要とし、製造に手数を要し、しかも連続生産が不可能なものであった。
【０００５】
本考案は、製造に金型等を必要とせず、ロール等に巻かれた二枚の帯状シートと溶着及び切断装置によって連続生産が可能であり、さらに製造容易にして安価なカード等保持具を提供することを目的とする。
【課題を解決するための手段】
【０００６】
前記目的を達成する本考案のカード等保持具は、第一のカード保持部となる基板部の片側に第二にカード保持部となる前記基板部の横幅より狭い横幅の折畳部が連続させられた第一の帯状シートの前記基板部の上面に、該基板部の横幅よりも若干狭めた横幅を有する第二の帯状シートが前記第一の帯状シートの基板部と前記折畳部との境界線を起点として重ね合わされ、前記第二の帯状シートの上面に前記第一の帯状シートの折畳部が重ね合わされ、重ね合わされた前記第一の帯状シート、前記第二の帯状シート及び前記第一の帯状シートの折畳部を前記第一のカード保持部及び前記第二のカード保持部となる間隔をあけて順次横方向に溶着及び切断して形成したことを特徴とするものである。
【０００７】
前記本考案のカード等保持具は、カード等を保持する袋部の構成が、前記折畳部の重ね合わせとカード保持部となる間隔をあけて順次横方向を溶着及び切断するだけで構成される。すなわち、例えば、縦方向の溶着あるいは該溶着部の切断等の作業を必要とせず、製造容易にして安価に提供することができる。
【考案の効果】
【０００８】
本考案のカード保持具は、製造に金型等を必要とせず、ロールに巻かれた二枚の帯状シートと溶着及び切断装置によって連続生産が可能であり、さらに製造容易にして安価なカード等保持具を提供できるものである。
【図面の簡単な説明】
【０００９】
【図１】本考案に係るカード等保持具の製造工程を示す参考図である。
【考案を実施するための形態】
【００１０】
以下に、本考案の実施の一形態を、図面を参照して詳細に説明する。
【００１１】
図面に示すカード等保持具Ｈは、受給者証・医療証等の収納部となる第一のカード保持部１と、いわゆるカードの収納部となる第二のカード保持部２が形成されている。
【００１２】
つぎに、前記カード等保持具Ｈの製造過程を説明する。図中、３は、ロール４に巻回されたポリプロピレン、塩化ビニール等のプラスチックからなる第一の帯状シートであり、前記第一のカード保持部１となる基板部５の片側に前記第二のカード保持部２となる前記基板部５の横幅Ｗ1より狭い横幅Ｗ２を有する折畳部６が連続させられている。
【００１３】
図中、７は、ロール８に巻かれた第二の帯状シートであり、前記第一の帯状シート３の前記基板部５の横幅よりも若干狭めた横幅Ｗ３を有する。
【００１４】
つぎに、前記第一の帯状シート３の前記基板部５の上面に、前記第二の帯状シート７が重ね合わされる。なお、前記第一の帯状シート３に対する前記第二の帯状シート７の重ね合わせは、前記第一の帯状シート３の前記基板部５と前記折畳部６との境界線Ｋを起点にして行われる（工程Ａ、Ｂ）。
【００１５】
前記重ね合わせの結果、前記第二の帯状シート７に対して前記第一の帯状シート３の前記折畳部６の反対側に前記第一の帯状シート３の突出辺９が形成される。該突出辺９は前記第一のカード保持部１へのカードの挿入及び取り出しを容易にするガイドとなる。
【００１６】
つぎに重ね合わされた前記第二の帯状シート７の上面に前記第一の帯状シート３の折り折畳部６が前記第一の帯状シート３との連続状態を保った常態で重ね合わされる（工程Ｃ，Ｄ）。
【００１７】
図面実施例では、前記折畳部６を後述する第一のカード保持部１及び前記第二のカード保持部２となる間隔Ｓをあけて切断１０、１０して両側が切断された折畳部６を前記第一の帯状シート３との連続状態を保って前記第二の帯状シートの上面に重ね合わせている。
【００１８】
もっとも、前記のごとく切断１０、１０することなく、前記第一の帯状シート３及び前記第二の帯状シート７に沿って前記折畳部６を前記第二の帯状シート７の上面に徐々に折り重ねていってもよい。この場合には、後述する溶着時に切断が行われる。
【００１９】
さらに前記重ね合わされた前記第一の帯状シート３、前記第二の帯状シート７及び前記第一の帯状シート３を前記第一のカード保持部１及び前記第二のカード保持部２となる前記間隔Ｓをあけて溶着及び切断１１することによって本発明のカード等保持具Ｈが完成する（工程Ｅ）。なお、前記溶着及び切断１１は同時に行われる。
【産業上の利用可能性】
【００２０】
本考案に係るカード等保持具は、製造に金型等を必要とせず、ロール状に巻かれた二枚の帯状シートと溶着及び切断装置によって連続生産が可能であり、生産されたカード等保持具は構造簡単にして安価に提供できるものである。
【符号の説明】
【００２１】
１    第一のカード保持部
２    第二のカード保持部
３    第１の帯状シート
５    基板部
６    折畳部
７    第２の帯状シート
１１  溶着及び切断部  
【図１】
0003150883.tif 000003